【事件の表示】
　特許第２８７４５４４号「テープ印刷装置」の請求項１ないし３に係る特許に対する特許異議の申立てについて、次のとおり決定する。
【結　論】
　訂正を認める。
　特許第２８７４５４４号の請求項１ないし３に係る特許を維持する。
【理　由】
（１）手続の経緯
　本件特許第２８７４５４４号の請求項１乃至請求項３に係る発明は、平成５年１２月２９日に特許出願され、平成１１年１月１４日にその特許の設定登録がなされ、その後、石塚輝より特許異議の申立てがなされ、取消理由通知がなされ、その指定期間内である平成１２年６月１２日に訂正請求（後日取下げ）がなされ、再度の取消理由通知がなされ、その指定期間内である平成１３年１月２２日に訂正請求がなされたものである。
　
（２）訂正の適否についての判断
　ア．特許権者が求めている訂正の内容は、次のとおりである。
　訂正事項a：特許請求の範囲の請求項１の記載を以下のように訂正する（訂正個所にアンダーラインを付した。）。
　「【請求項１】文字や記号等のキャラクタ及び種々の指令を入力する為の入力手段と、入力されたキャラクタのデータを記憶するデータ記憶手段と、キャラクタを表示可能なディスプレイを含む表示手段と、多数のキャラクタのドットパターンデータを複数サイズ分記憶したフォント記憶
手段
　前記テープカセットのテープの幅を検知するテープ幅検知手段と、
　
前記ディスプレイにおいて文字や記号を表示する有効表示領域であるイメージ表示領域、及びイメージ表示に活用されず前記イメージ表示領域と区別される非イメージ表示領域を、テープ幅に応じて変更設定するイメージ表示領域設定手段と、
前記イメージ表示領域設定手段で設定されたイメージ表示領域内に、
を備えたことを特徴とするテープ印刷装置。」
　訂正事項ｂ：特許明細書の段落【０００４】における「請求項１・・・ものである。」の記載を、以下の通り訂正する。
　「請求項１のテープ印刷装置は、図１の機能ブロック図に示すように、文字や記号等のキャラクタ及び種々の指令を入力する為の入力手段と、入力されたキャラクタのデータを記憶するデータ記憶手段と、キャラクタを表示可能なディスプレイを含む表示手段と、多数のキャラクタのドットパターンデータを複数サイズ分記憶したフォント記憶手段と、ディスプレイに表示する表示用イメージデータを格納する表示データバッファと、この表示データバッファの表示用イメーンブータを受けて表示手段を制御する表示制御手段と、印刷媒体としてのテープにキャラクタを印刷する印刷手段および着脱自在に装着されるテープカセットとを備えたテープ印刷装置において、前記テープカセットのテープの幅を検知するテープ幅検知手段と、前記ディスプレイにおいて文字や記号を表示する有効表示領域であるイメージ表示領域、及びイメージ表示に活用されず前記イメージ表示領域と区別される非イメージ表示領域を、テープ幅に応じて変更設定するイメージ表示領域設定手段と、前記テープ幅検知手段で検知されたテープ幅のデータを受け、前記データ記憶手段に記憶されたキャラクタについて、前記フォント記憶手段からテープ幅に対応する表示サイズのドットパターンデータを読出し、前記イメージ表示領域設定手段で設定されたイメージ表示領域内に、前記ディスプレイに印刷状態と同様のイメージで表示する為の表示用ドットイメージデータを作成して、前記表示データバッファに展開する表示データ作成手段とを備えたものである。」
　訂正事項ｃ：特許明細書の段落【０００６】における「請求項１・・・展開する。」とある記載を、以下の通り訂正する。
　「請求項１のテープ印刷装置においては、その前提構成として、入力手段、データ記憶手段、フォント記憶手段、表示データバッファ、ディスプレイを含む表示手段、表示制御手段、印刷媒体としてのテープにキャラクタを印刷する印刷手段及び着脱自在に装着されるテープカセットとが設けられている。テープ幅検知手段によりテープカセットのテープの幅が検知されると、表示データ作成手段は、検知テープ幅検知手段のデータを受け、データ記憶手段に記憶されたキャラクタについて、フォント記憶手段からテープ幅に対応する表示サイズのドットパターンデータを読出し、前記ディスプレイにおいて非イメージ表示領域と区別されテープ幅に応じてその幅が変更されるイメージ表示領域内に、ディスプレイに印刷状態と同様のイメージで表示する為の表示用ドットイメージデータを作成して、表示データバッファに展開する。」
　訂正事項ｄ：、特許明細書の段落【００４５】における「請求項１…ことができる。」とある記載を、以下の通り訂正する。
　「請求項１のテープ印刷装置によれば、前記前提構成を備えたテープ印刷装置に、テープ幅検知手段と、表示データ作成手段とを設け、テープ幅に対応する表示サイズの表示用ドットパターンデータを読出し、前記ディスプレイにおいて非イメージ表示領域と区別されテープ幅に応じてその幅が変更されるイメージ表示領域内に、ディスプレイに印刷状態と同様のイメージで表示する為の表示用ドットイメージデータを作成して、表示データバッファに展開し、ディスプレイに表示させることにより、キャラクタをテープ幅に対応する表示サイズで表示できるため、キャラクタの印刷状態をテープ幅との関連において把握しやすくなり、操作性を著しく向上させることができる。」
　
　イ．訂正の目的の適否、新規事項の有無及び拡張・変更の存否
　訂正事項ａについては、まず、訂正前の請求項１における「フォント記憶」に関し、特許明細書の【０００６】における「フォント記憶手段」という記載に基づき、明らかな誤記である「フォント記憶」なる記載を、「フォント記憶手段」と訂正するものである。
　次に、特許明細書の【００２３】及び【００２４】の記載、並びに同明細書の【００４４】おける「前記ディスプレイ２２の上端カット領域や下端カット領域をシャドウ表示する代わりに、これらの領域とイメージ表示領域とを適宜の境界線で区分するようにしてもよい」という記載に基づき、請求項１に係る発明につき、「前記ディスプレイにおいて文字や記号を表示する有効表示領域であるイメージ表示領域、及びイメージ表示に活用されず前記イメージ表示領域と区別される非イメージ表示領域を、テープ幅に応じて変更設定するイメージ表示領域設定手段」を備える旨減縮するものである。
　また、訂正前の請求項１における「表示データ作成手段」に関し、「フォント記憶手段からテープ幅に対応する表示サイズのドットパターンデータを読出し、前記ディスプレイに印刷状態と同様のイメージで表示する為の表示用ドットイメージデータを作成」とあったものを、上記の訂正事項に対応して、「フォント記憶手段からテープ幅に対応する表示サイズのドットパターンデータを読出し、前記イメージ表示領域設定手段で設定されたイメージ表示領域内に、前記ディスプレイに印刷状態と同様のイメージで表示する為の表示用ドットイメージデータを作成」と訂正するものである。
　そうすると、訂正事項ａは、特許請求の範囲の減縮、誤記の訂正、及び明りようでない記載の釈明に相当する。
　次に、訂正事項ｂ乃至訂正事項ｄについては、訂正事項ａによる特許請求の範囲の訂正に伴って、発明の詳細な説明の記載を整合させるためのものであり、明りようでない記載の釈明に相当する。
　そして、上記訂正は、いずれも新規事項の追加に該当せず、実質的に特許請求の範囲を拡張又は変更するものではない。
　
　ウ．独立特許要件の判断
  これに対して、当審が通知した取消理由で引用したラベルワープロ「Ｌａｂｅｌｌｏ（ＧＥ−ＬＷ１）」取扱説明書（１９９３年１月　初版　三菱鉛筆株式会社　発行）（以下、「引用例１」という。）、特開平５−８４９７５号公報（以下、「引用例２」という。）、特開昭６２−１３５３８３号公報（以下、「引用例３」という。）、実願昭６０−１３９７４９号（実開昭６２−４７９３０号公報）のマイクロフィルム（以下、「引用例４」という。）には、それぞれ下記の事項が記載されている。
　［引用例１］
　「「Ｌａｂｅｌｌｏラベロ」（ＧＥ−ＬＷ１）は、アウトラインフォントを採用した美しい文字・記号などをラミネートテープに印刷するフルキーボード搭載のラベルワープロです。」（第２頁）と記載されている。
　そして、『文字や記号等のキャラクタ及び種々の指令を入力する為の入力手段』としてのフルキーボード式の操作パネル（第１４〜１５頁、第２１〜３１頁、８７頁等）と、
　『入力されたキャラクタのデータを記憶するデータ記憶手段』としての内部メモリーとＲＡＭパック（第４５〜４７頁、第８７〜８８頁等）と、
　『キャラクタを表示可能なディスプレイを含む表示手段』としてのディスプレイ（第１７頁、第２１〜３１頁、第８７頁等）と、
　『多数のキャラクタのパターンデータを記憶したフォント記憶手段』としての内蔵メモリーとＲＯＭパック（第３２〜４１頁、第７０〜７５頁、第８７〜８８頁等）と、
　『印刷媒体としてのテープにキャラクタ印刷する印刷手段』（第１１頁、第１９頁、第４４頁）および『着脱自在に装着されるテープカセット』としてのテープカートリッジ（第１０頁、第１６頁、第８７〜８８頁等）が開示されている。
　また、第１７頁の「３．ディスプレイの見方」の項に記載の各種表示や他の頁における各種ディスプレイの表示例により、入力されたキャラクタのデータとは別に表示用イメージデータを格納（記憶）していること、およびその表示用イメージデータをディスプレイに表示させるための制御手段があること、は明らかであるから、『ディスプレイに表示する表示用イメージデータを格納する表示データバッファと、この表示データバッファの表示用イメージデータを受けて表示手段を制御する表示制御手段』が開示されている。
　次に、テープ幅に合わせて文字サイズを自動設定する旨の記載（第１２頁左欄の上から３、４番目の「●」の記載、第１７頁の（８）における、「自動＝装着してあるテープ幅及び設定してあるテープ長に印刷できる範囲で最大の文字を印刷」との記載、第３３頁の「文字高さを自動に設定すると、装着しているテープ幅、設定しているテープ長に印刷できる範囲で最も大きいサイズをブロックごとに選択します。・各テープ幅の印刷可能な文字の高さは、次のとおりです。（表）」の記載、第４４頁のデモ印刷の説明に対応する第１１頁の図等の記載があり、このことから、「テープの幅を検知するテープ幅検知手段」があることは明らかである。
　次に、テープには５種類ある旨（第４４頁左欄第１〜３行等）および印刷する前に印刷イメージを確認できる旨（同欄第４〜６行等）が記載され、その具体例として入力文字「あいう」のイメージ表示の例（同頁同欄の「印刷イメージを確認する」の欄の２等）が記載されている。特に「イメージ表示は装着されているテープの幅で表示されます。」旨の記載（同頁同欄の「メモ」の欄）があることから、「テープ幅に対応する表示サイズのドットパターンデータで、ディスプレイに印刷状態と同様のイメージで表示する手段」が開示されている。
　［引用例２］
　「本発明は、印字媒体としてのテープに文字印字するときの文字サイズを、印字される行数と設定された或いは検出されたテープ幅とに応じて自動的に決定するようにしたテープ印字装置に関する。」（第１欄第３４〜３７行）、
　「ＲＯＭ（プログラムメモリ）３０には、・・・図６に示すように複数の文字サイズ・・・の各々に対応する縦方向ドット数・・・と横方向ドット数・・・とを格納した文字サイズテーブル１９などが格納されている。但し、この文字サイズテーブル１９において、文字サイズＳ１は、最大テープ幅２４mmの印字用テープ５に１行印字するときに用いる最大文字サイズであり、文字サイズＳｉは、印字可能な最小文字サイズである。」（第５欄第１６〜３５行）、
　「ＣＧＲＯＭ（パターンデータメモリ）３１には、多数のキャラクタの夫々に関して、前記複数の文字サイズ（Ｓ１、Ｓ２、Ｓ３・・・・Ｓｉ）の各々に対応させたドットパターンデータが格納されている。」（第５欄第３７〜４０行）、
　「前記テープ収納カセットＣＳの底部壁には下方に突出した１対の突出片１７・１８が一体形成されており、この突出片１７・１８の有無により収納された印字用テープ５のテープ幅を検出できるようになっている。即ち、テープ幅を２４mmとする印字用テープ５を収納した図４に示すテープ収納カセットＣＳには、１対の突出片１７・１８が設けられている。しかし、図示しないがテープ幅を１８mmとする印字用テープ５を収納したテープ収納カセットＣＳには突出片１７のみが設けられ、テープ幅を１２mmとする印字用テープ５を収納したテープ収納カセットＣＳには突出片１８のみが設けられ、またテープ幅を６mmとする印字用テープ５を収納したテープ収納カセットＣＳには何れの突出片１７・１８が設けられていない。そして、本体フレーム２には、テープ収納カセットＣＳを装着したときに突出片１７・１８を検出する為のフォトインタラプタからなる第１・第２センサ２０・２１（図５参照）が取付けられている。」（第４欄第３７行〜第５欄第３行）、
　「テープ印字装置１の制御系は図５のブロック図に示すように構成されている。キーボード３と、第１センサ２０と、第２センサ２１と、液晶ディスプレイ２２に表示データを出力するための表示用ＲＡＭを有するディスプレイコントローラ（ＬＣＤＣ）２３と、サーマルヘッド１３を駆動する為の駆動回路２５と、テープ送りモータ２４を駆動する為の駆動回路２６とは制御装置Ｃの入出力インターフェース２７に夫々接続されている。」（第５欄第４〜１２行）、
　「テープ印字装置１の制御装置Ｃで行なわれるテープ印字制御のルーチンについて、図８・図９のフローチャートに基いて説明する。尚、図中、符号Ｓｉ（ｉ＝１０、１１、１２・・・）は各ステップである。・・・電源が投入されるとこの制御が開始され、文字キーや記号キーや数字キーなどが操作されたときには（Ｓ１０・Ｓ１１としてのＹｅｓ）、入力されたコードデータを文書データとしてテキストメモリ４１に格納する文書データ入力処理が実行され、更にそのコードデータに対応するキャラクタをディスプレイ２２に表示する表示処理が実行される（Ｓ１２）。次に、文字サイズキーが操作されたときには（Ｓ１０としてのＹｅｓ、Ｓ１１としてのＮｏ、Ｓ１３としてのＹｅｓ）、文字サイズ設定処理制御が実行される（Ｓ１４）。即ち、この設定処理制御においては、先ず使用頻度の高い文字サイズがディスプレイ２２に表示される一方、カーソル上移動キーの操作で順次使用頻度の高い４種類の文字サイズが表示され、最後に「オートサイズ」が表示されるので、所望の文字サイズを表示させた状態でリターンキーを操作して文字サイズが設定される。但し、文字サイズとして「オートサイズ」を設定したときには、オートサイズフラグＡＦがセットされる。」（第６欄第２０〜４２行）。
　［引用例３］
　「（１）外部からパターンデータを読み込んで所定の出力装置に出力する画像情報処理装置であって、パターンデータは表示装置に表示する表示用パターンと印刷装置に印刷する印刷用パターンとをドット密度を変えて持ち、前記表示装置と前記印刷装置に前記パターンデータを出力するときに前記表示用パターンと前記印刷用パターンとを切換えて読み込んで夫々の出力装置に出力する切換え手段を有し、該切換え手段により前記表示装置に表示された前記表示用パターンを印刷するときには前記表示用パターンに対応する前記印刷用パターンを読み込んで前記印刷装置に出力することを特徴とする画像情報処理装置。・・・（５）パターンデータは文字或は記号のフォントパターンであることを特徴とする特許請求の範囲第１項・・・に記載の画像情報処理装置。」（特許請求の範囲）。
　［引用例４］
　「単価、重量、価格等のデータを表示器に表示しプリンタ部により印字するようにしたものにおいて、前記データに基づくキャラクタパターンを前記表示器に入力するドットの粗いキャラクタジェネレータと、前記データに基づくキャラクタパターンを前記プリンタ部に入力するドットの細かい印字用キャラクタジェネレータとを独立させて設けたことを特徴とするプリンタ付電子料金秤。」（実用新案登録請求の範囲）。
　
　（対比・判断）
　上記訂正により、本件請求項１係る発明（以下、「本件発明１」という。）は、次のとおりのものである。
　「文字や記号等のキャラクタ及び種々の指令を入力する為の入力手段と、入力されたキャラクタのデータを記憶するデータ記憶手段と、キャラクタを表示可能なディスプレイを含む表示手段と、多数のキャラクタのドットパターンデータを複数サイズ分記憶したフォント記憶手段と、ディスプレイに表示する表示用イメージデータを格納する表示データバッファと、この表示データバッファの表示用イメージデータを受けて表示手段を制御する表示制御手段と、印刷媒体としてのテープにキャラクタを印刷する印刷手段および着脱自在に装着されるテープカセットとを備えたテープ印刷装置において、
　前記テープカセットのテープの幅を検知するテープ幅検知手段と、
　前記ディスプレイにおいて文字や記号を表示する有効表示領域であるイメージ表示領域、及びイメージ表示に活用されず前記イメージ表示領域と区別される非イメージ表示領域を、テープ幅に応じて変更設定するイメージ表示領域設定手段と、
　前記テープ幅検知手段で検知されたテープ幅のデータを受け、前記データ記憶手段に記憶されたキャラクタについて、前記フォント記憶手段からテープ幅に対応する表示サイズのドットパターンデータを読出し、前記イメージ表示領域設定手段で設定されたイメージ表示領域内に、前記ディスプレイに印刷状態と同様のイメージで表示する為の表示用ドットイメージデータを作成して、前記表示データバッファに展開する表示データ作成手段と、
を備えたことを特徴とするテープ印刷装置。」
　
　本件発明１と上記引用例１に記載された事項とを対比する。
　上記（２）ウで指摘した、引用例１の記載事項を勘案すると、両者は、
「文字や記号等のキャラクタ及び種々の指令を入力する為の入力手段（引用例１における、フルキーボード式の操作パネルに相当。以下、括弧内の記載は引用例１のものを指す。）と、入力されたキャラクタのデータを記憶するデータ記憶手段（内部メモリーとＲＡＭパック）と、キャラクタを表示可能なディスプレイを含む表示手段（ディスプレイ）と、多数のキャラクタのパターンデータを記憶したフォント記憶手段（内部メモリーとＲＡＭパック）と、ディスプレイに表示する表示用イメージデータを格納する表示データバッファと、この表示データバッファの表示用イメージデータを受けて表示手段を制御する表示制御手段と、印刷媒体としてのテープにキャラクタを印刷する印刷手段および着脱自在に装着されるテープカセット（テープカートリッジ）とを備えたテープ印刷装置（ラベルワープロ）において、
　前記テープカセット（テープカートリッジ）のテープの幅を検知するテープ幅検知手段と、
　前記テープ幅検知手段で検知されたテープ幅のデータを受け、前記データ記憶手段に記憶されたキャラクタについて、前記ディスプレイに印刷状態と同様のイメージで表示する為の表示用ドットイメージデータを作成して、前記表示データバッファに展開する表示データ作成手段と、
を備えたことを特徴とするテープ印刷装置（ラベルワープロ）。」である点で一致し、次の点で相違する。
　相違点１：フォント記憶手段が記憶しているフォントデータについて、本件発明１のものでは、キャラクタの複数サイズ分のドットパターンデータであるのに対して、引用例１のものでは、アウトラインフォントであるベクトルデータである点。
　相違点２：表示データ作成手段について、本件発明１のものでは、「ディスプレイにおいて文字や記号を表示する有効表示領域であるイメージ表示領域、及びイメージ表示に活用されず前記イメージ表示領域と区別される非イメージ表示領域を、テープ幅に応じて変更設定するイメージ表示領域設定手段を備え、テープ幅検知手段で検知されたテープ幅のデータを受け、データ記憶手段に記憶されたキャラクタについて、フォント記憶手段からテープ幅に対応する表示サイズのドットパターンデータを読出し、前記イメージ表示領域設定手段で設定されたイメージ表示領域内に、前記ディスプレイに印刷状態と同様のイメージで表示する為の表示用ドットイメージデータを作成する」ものであるのに対して、引用例１のものでは、「イメージ表示は装着されているテープの幅で表示されます。」との記載があるが、ディスプレイにおいて文字や記号を表示する有効表示領域であるイメージ表示領域、及びイメージ表示に活用されず前記イメージ表示領域と区別される非イメージ表示領域を、テープ幅に応じて変更設定するイメージ表示領域設定手段を備えるかどうか明確でなく、どのように表示データを作成しているのか明確でない点。
　上記相違点について検討する。
　相違点１について。
　テープ印字装置において、フォント記憶手段にキャラクタの複数サイズ分のドットパターンデータを格納しておくことは、引用例２に記載されているとともに、印字装置において、表示用パターンと印字用パターンとを、ドット密度を変えて記憶しておくことは、引用例３、引用例４等にみるように、周知の事項である。したがって、本件発明１の相違点１の如く構成することは、当業者が容易に想到し得たことである。
　次に、相違点２について。
　引用例２には、「入力されたコードデータを文書データとしてテキストメモリ４１に格納する文書データ入力処理が実行され、更にそのコードデータに対応するキャラクタをディスプレイ２２に表示する表示処理が実行される（Ｓ１２）。次に、文字サイズキーが操作されたときには（Ｓ１０としてのＹｅｓ、Ｓ１１としてのＮｏ、Ｓ１３としてのＹｅｓ）、文字サイズ設定処理制御が実行される（Ｓ１４）。即ち、この設定処理制御においては、先ず使用頻度の高い文字サイズがディスプレイ２２に表示される一方、カーソル上移動キーの操作で順次使用頻度の高い４種類の文字サイズが表示され、最後に「オートサイズ」が表示されるので、所望の文字サイズを表示させた状態でリターンキーを操作して文字サイズが設定される。」との記載があるが、ディスプレイにおいて文字や記号を表示する有効表示領域であるイメージ表示領域、及びイメージ表示に活用されず前記イメージ表示領域と区別される非イメージ表示領域を、テープ幅に応じて変更設定するイメージ表示領域設定手段を備える点について記載がなく、また、これを示唆する記載もない。
　さらに、引用例２には、文字サイズ設定処理制御において、キー操作により文字サイズが変更設定されることは記載されているが、「テープ幅検知手段で検知されたテープ幅のデータを受け、データ記憶手段に記憶されたキャラクタについて、フォント記憶手段からテープ幅に対応する表示サイズのドットパターンデータを読出し、前記イメージ表示領域設定手段で設定されたイメージ表示領域内に、前記ディスプレイに印刷状態と同様のイメージで表示する為の表示用ドットイメージデータを作成する」点についても記載がなく、また、これを示唆する記載もない。
　そして、本件発明１は、この点により、「キャラクタの印刷状態をテープ幅との関連において把握しやすくなり、操作性を著しく向上させることができる」という、各引用例に記載のものからは期待できない格別の効果を奏するものである。（特許掲載公報第１３欄第３７〜３９行参照。）
　したがって、本件発明１は、上記引用例１乃至引用例４に記載のものから容易に発明をすることができたものとはいえない。
　よって、本件発明１は特許出願の際独立して特許を受けることができるものである。
　
　また、本件請求項２に係る発明は、請求項１を引用するものであり、本件請求項３に係る発明は、請求項２を引用するものであるから、いずれも本件発明１について検討したと同様の理由により、特許出願の際独立して特許を受けることができるものである。
　
　エ．むすび
　以上のとおりであるから、上記訂正は、特許法等の一部を改正する法律（平成６年法律第１１６号）附則第６条第１項の規定によりなお従前の例によるとされる、平成６年改正法による改正前の特許法第１２６条第１項乃至第３項の規定に適合するので、当該訂正を認める。
　
（３）特許異議の申立てについての判断
　ア．申立ての理由の概要
　特許異議申立人、石塚輝は、上記引用例１の甲第１号証（ラベルワープロ「Ｌａｂｅｌｌｏ（ＧＥ−ＬＷ１）」取扱説明書（１９９３年１月　初版　三菱鉛筆株式会社　発行））を提示し、訂正前の請求項１乃至請求項３に係る発明は、甲第１号証に記載された発明から当業者が容易に発明をすることができたものであり、特許法第２９条第２項の規定により、特許を受けることができないものであるから、特許を取り消すべきと主張している。
　イ．判断
　訂正後の本件請求項１乃至請求項３に係る発明は、上記（２）ウで説示したように、取消理由通知で示した引用例に記載された発明から当業者が容易に発明をすることができたものとすることはできない。
　また、他に本件請求項１乃至請求項３に係る発明の特許を取り消すべき理由を発見しない。
　したがって、本件請求項１乃至請求項３に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年５月２３日（２００１．５．２３）
【訂正の要旨】
訂正の要旨（平成１１年異議第７３６３４号）
　特許権者が求める特許明細書の訂正は、次の訂正からなる。
　訂正事項ａ：特許請求の範囲の請求項１の記載を以下のように訂正する（訂正個所にアンダーラインを付した。）。
　「【請求項１】文字や記号等のキャラクタ及び種々の指令を入力する為の入力手段と、入力されたキャラクタのデータを記憶するデータ記憶手段と、キャラクタを表示可能なディスプレイを含む表示手段と、多数のキャラクタのドットパターンデータを複数サイズ分記憶したフォント記憶
手段
　前記テープカセットのテープの幅を検知するテープ幅検知手段と、
　
前記ディスプレイにおいて文字や記号を表示する有効表示領域であるイメージ表示領域、及びイメージ表示に活用されず前記イメージ表示領域と区別される非イメージ表示領域を、テープ幅に応じて変更設定するイメージ表示領域設定手段と、
　前記テープ幅検知手段で検知されたテープ幅のデータを受け、前記データ記憶手段に記憶されたキャラクタについて、前記フォント記憶手段からテープ幅に対応する表示サイズのドットパターンデータを読出し、
前記イメージ表示領域設定手段で設定されたイメージ表示領域内に
　訂正事項ｂ：特許明細書の段落【０００４】における「請求項１・・・ものである。」の記載を、以下の通り訂正する。
　「請求項１のテープ印刷装置は、図１の機能ブロック図に示すように、文字や記号等のキャラクタ及び種々の指令を入力する為の入力手段と、入力されたキャラクタのデータを記憶するデータ記憶手段と、キャラクタを表示可能なディスプレイを含む表示手段と、多数のキャラクタのドットパターンデータを複数サイズ分記憶したフォント記憶手段と、ディスプレイに表示する表示用イメージデータを格納する表示データバッファと、この表示データバッファの表示用イメーンブータを受けて表示手段を制御する表示制御手段と、印刷媒体としてのテープにキャラクタを印刷する印刷手段および着脱自在に装着されるテープカセットとを備えたテープ印刷装置において、前記テープカセットのテープの幅を検知するテープ幅検知手段と、前記ディスプレイにおいて文字や記号を表示する有効表示領域であるイメージ表示領域、及びイメージ表示に活用されず前記イメージ表示領域と区別される非イメージ表示領域を、テープ幅に応じて変更設定するイメージ表示領域設定手段と、前記テープ幅検知手段で検知されたテープ幅のデータを受け、前記データ記憶手段に記憶されたキャラクタについて、前記フォント記憶手段からテープ幅に対応する表示サイズのドットパターンデータを読出し、前記イメージ表示領域設定手段で設定されたイメージ表示領域内に、前記ディスプレイに印刷状態と同様のイメージで表示する為の表示用ドットイメージデータを作成して、前記表示データバッファに展開する表示データ作成手段とを備えたものである。」
　訂正事項ｃ：特許明細書の段落【０００６】における「請求項１・・・展開する。」とある記載を、以下の通り訂正する。
　「請求項１のテープ印刷装置においては、その前提構成として、入力手段、データ記憶手段、フォント記憶手段、表示データバッファ、ディスプレイを含む表示手段、表示制御手段、印刷媒体としてのテープにキャラクタを印刷する印刷手段及び着脱自在に装着されるテープカセットとが設けられている。テープ幅検知手段によりテープカセットのテープの幅が検知されると、表示データ作成手段は、検知テープ幅検知手段のデータを受け、データ記憶手段に記憶されたキャラクタについて、フォント記憶手段からテープ幅に対応する表示サイズのドットパターンデータを読出し、前記ディスプレイにおいて非イメージ表示領域と区別されテープ幅に応じてその幅が変更されるイメージ表示領域内に、ディスプレイに印刷状態と同様のイメージで表示する為の表示用ドットイメージデータを作成して、表示データバッファに展開する。」
　訂正事項ｄ：、特許明細書の段落【００４５】における「請求項１…ことができる。」とある記載を、以下の通り訂正する。
　「請求項１のテープ印刷装置によれば、前記前提構成を備えたテープ印刷装置に、テープ幅検知手段と、表示データ作成手段とを設け、テープ幅に対応する表示サイズの表示用ドットパターンデータを読出し、前記ディスプレイにおいて非イメージ表示領域と区別されテープ幅に応じてその幅が変更されるイメージ表示領域内に、ディスプレイに印刷状態と同様のイメージで表示する為の表示用ドットイメージデータを作成して、表示データバッファに展開し、ディスプレイに表示させることにより、キャラクタをテープ幅に対応する表示サイズで表示できるため、キャラクタの印刷状態をテープ幅との関連において把握しやすくなり、操作性を著しく向上させることができる。」
（５４）【発明の名称】
テープ印刷装置
（５７）【特許請求の範囲】
　【請求項１】　文字や記号等のキャラクタ及び種々の指令を入力する為の入力手段と、入力されたキャラクタのデータを記憶するデータ記憶手段と、キャラクタを表示可能なディスプレイを含む表示手段と、多数のキャラクタのドットパターンデータを複数サイズ分記憶したフォント記憶
手段
　前記テープカセットのテープの幅を検知するテープ幅検知手段と、
　
前記ディスプレイにおいて文字や記号を表示する有効表示領域であるイメージ表示領域、及びイメージ表示に活用されず前記イメージ表示領域と区別される非イメージ表示領域を、テープ幅に応じて変更設定するイメージ表示領域設定手段と、
　前記テープ幅検知手段で検知されたテープ幅のデータを受け、前記データ記憶手段に記憶されたキャラクタについて、前記フォント記憶手段からテープ幅に対応する表示サイズのドットパターンデータを読出し、
前記イメージ表示領域設定手段で設定されたイメージ表示領域内に、
を備えたことを特徴とするテープ印刷装置。
　【請求項２】　前記ディスプレイに表示されるキャラクタの表示サイズを、拡大設定する為のサイズ拡大設定設定手段を設け、
　前記表示データ作成手段は、前記サイズ拡大設定手段で設定された表示サイズのドットパターンデータを前記フォント記憶手段から読出すように構成されたことを特徴とする請求項１に記載のテープ印刷装置。
　【請求項３】　前記表示データ作成手段は、テープ幅検知手段で検知されたテープ幅が変更されたときに、前記表示用ドットイメージデータを更新するように構成されたことを特徴とする請求項２に記載のテープ印刷装置。
【発明の詳細な説明】
　【０００１】
　【産業上の利用分野】
　本発明は、印刷媒体としてのテープに文字や記号等のキャラクタを印刷するテープ印刷装置に関し、特にデイスプレイヘの表示形態を改善したものに関する。
　【０００２】
　【従来の技術】
　従来、本願出願人は、実開平１−８５０５０号公報に記載のように、キーボード、ディスプレイ、印字機構を備え、印刷媒体としてのテープ（例えば、テープ幅６，９，１２，１８，２４ｍｍ）に文字や記号等を印刷できるテープ印刷装置であって、ファイルの背表紙に貼付するのに適したテープ状のラベルを作成するのに好適のテープ印刷装置を実用化し、このテープ印刷装置に種々の編集機能を付与したものを提案した。前記テープ印刷装置では、テープカセットを交換することで、テープの幅を変更可能であり、キャラクタはテープ幅に応じたキャラクタサイズで印刷される。更に、最近では、特定の表示モードにおいて、ディスプレイに、キャラクタをテープに印刷したのと同様の印刷イメージにて表示可能に構成したテープ印刷装置も実用化されつつある。
　【０００３】
　【発明が解決しようとする課題】
　従来のテープ印刷装置では、ディスプレイに表示されるキャラクタの表示サイズが、テープ幅と無関係に設定されていたので、ディスプレイにキャラクタを印刷イメージで表示しても、キャラクタの印刷状態をテープ幅との関連で把握できないこと、キャラクタの表示サイズを切換えるように構成されていないので、複数行に印刷するような場合に、表示文字サイズが小さくなって見にくいため、操作性に欠けること、等の問題がある。本発明の目的は、テープ印刷装置において、キャラクタの印刷状態をテープ幅との関連で把握できるようにすること、必要に応じてキャラクタを拡大表示可能にすること、等である。
　【０００４】
　【課題を解決するための手段】
　請求項１のテープ印刷装置は、図１の機能ブロック図に示すように、文字や記号等のキャラクタ及び種々の指令を入力する為の入力手段と、入力されたキャラクタのデータを記憶するデータ記憶手段と、キャラクタを表示可能なディスプレイを含む表示手段と、多数のキャラクタのドットパターンデータを複数サイズ分記憶したフォント記憶
手段
前記ディスプレイにおいて文字や記号を表示する有効表示領域であるイメージ表示領域、及びイメージ表示に活用されず前記イメージ表示領域と区別される非イメージ表示領域を、テープ幅に応じて変更設定するイメージ表示領域設定手段と、
前記イメージ表示領域設定手段で設定されたイメージ表示領域内に、
　【０００５】
　ここで、前記ディスプレイに表示されるキャラクタの表示サイズを、拡大設定する為のサイズ拡大設定手段を設け、前記表示データ作成手段は、前記サイズ拡大設定手段で設定された表示サイズのドットパターンデータを前記フォント記憶手段から読出すように構成してもよい（請求項１に従属の請求項２）。また、前記表示データ作成手段は、テープ幅検知手段で検知されたテープ幅が変更されたときに、前記表示用ドットイメージデータを更新するように構成してもよい（請求項２に従属の請求項３）。
　【０００６】
　【作用】
　請求項１のテープ印刷装置においては、その前提構成として、入力手段、データ記憶手段、フォント記憶手段、表示データバッファ、ディスプレイを含む表示手段、表示制御手段、印刷媒体としてのテープにキャラクタを印刷する印刷手段及び着脱自在に装着されるテープカセットとが設けられている。テープ幅検知手段によりテープカセットのテープの幅が検知されると、表示データ作成手段は、検知テープ幅検知手段のデータを受け、データ記憶手段に記憶されたキャラクタについて、フォント記憶手段からテープ幅に対応する表示サイズのドットパターンデータを読出し、
前記ディスプレイにおいて非イメージ表示領域と区別されテープ幅に応じてその幅が変更されるイメージ表示領域内に、
　【０００７】
　請求項２のテープ印刷装置においては、サイズ拡大設定手段により、ディスプレイに表示されるキャラクタの表示サイズが拡大設定されると、前記表示データ作成手段は、その拡大設定された表示サイズのドットパターンデータをフォント記憶手段から読出す。その結果、ディスプレイには、拡大されたキャラクタが表示されることになる。請求項３のテープ印刷装置においては、表示データ作成手段は、テープ幅検知手段で検知されたテープ幅が変更されたときに、表示用ドットイメージデータを更新する。つまり、テープ幅が大きく変更されると、キャラクタの表示サイズすが大きく変更され、また、テープ幅が小さく変更されると、キャラクタの表示サイズが小さく変更される。
　【０００８】
　【実施例】
　以下、本発明の実施例について図面に基いて説明する。本実施例は、アルファベット文字、数字、記号などの多数のキャラクタを印刷テープに印刷可能なテープ印刷装置に本発明を適用した場合のものである。図２に示すように、テープ印刷装置１の本体フレーム２の前部にはキーボード３が配設され、キーボード３の後方で本体フレーム２内には印刷機構ＰＭが配設され、またキーボード３の直ぐ後側には、入力した文字や記号を印刷イメージで表示可能な液晶ディスプレイ２２が設けられている。このディスプレイ２２には、縦方向に３２ドット、横方向に１２１ドットで構成される表示画面を有している。ここで、符号４は、印刷機構ＰＭに装着するテープカセットＣＳを着脱するときに、カバーフレーム６を開放する為のリリースボタンである。
　【０００９】
　キーボード（入力手段に相当する）３には、アルファベットや数字や記号を入力する為の文字キー、スペースキー、リターンキー、カーソルＫを上下左右方向に移動させる為のカーソル移動キー、表示サイズ設定キー、文字修飾や表示文字サイズや印刷文字サイズなどを含む書式情報を変更設定する書式設定キー、各種の設定処理を終了する実行キー、印刷を指令する印刷キー、電源をＯＮ・ＯＦＦする為の電源キーなどが設けられている。
　【００１０】
　次に、印刷機構ＰＭについて、図３に基いて簡単に説明すると、印刷機構ＰＭに着脱自在に矩形状のテープカセットＣＳが装着されており、このテープカセットＣＳには、ラミネートフィルムテープ７が巻装されたテープスプール８と、印字リボン９が巻装されたリボン供給スプール１０と、この印字リボン９を巻取る巻取りスプール１１と、ラミネートフィルムテープ７と同一幅を有する両面テープ１２が剥離紙を外側にして巻装された供給スプール１３と、これらラミネートフィルムテープ７と両面テープ１２とを接合させる接合ローラ１４とが回転自在に設けられている。
　【００１１】
　前記ラミネートフィルムテープ７と印字リボン９とが重なる位置には、サーマルヘッド１５が立設され、これらラミネートフィルムテープ７と印字リボン９とをサーマルヘッド１５に押圧するプラテンローラ１６と、ラミネートフィルムテープ７と両面テープ１２とを接合ローラ１４に押圧して印刷テープ１９を作成する送りローラ１７とは、本体フレーム２に回動自在に枢着された支持体１８に回転可能に枢支されている。このサーマルヘッド１５には、１２８個の発熱素子からなる発熱素子群が上下方向に列設されている。
　【００１２】
　従って、テープ送りモータ４５（図４参照）の所定回転方向への駆動により、接合ローラ１４と巻取りスプール１１とが所定回転方向に夫々同期して駆動されながら、サーマルヘッド１５の発熱素子群に通電されたとき、ラミネートフィルムテープ７上には複数のドット列により文字やバーコードが印字され、しかもラミネートフィルムテープ７は両面テープ１２を接合した状態で印刷テープ１９としてテープ送り方向Ａにテープ送りされ、図２・図３に示すように、本体フレーム２の外部に繰出される。尚、印刷機構ＰＭの詳細については、特開平２−１０６５５５号公報を参照。
　【００１３】
　次に、この印刷テープ１９を自動的に切断する切断装置３０について、図３に基いて簡単に説明すると、前記テープカセットＣＳの左側に対応する本体フレーム２の直ぐ内側には、板状の補助フレーム３１が立設され、この補助フレーム３１に固定刃３２が上向きに固着されている。補助フレーム３１に固着された左右方向向きの枢支軸３３には１前後方向に延びる操作レバー３４の前端近傍部が回動可能に枢支され、その操作レバー３４の枢支軸３３より前側に対応する部位において、可動刃３５が前記固定刃３２と対向して取付けられている。また、操作レバー３４の後端部は、切断用モータ４６（図４参照）に連結された揺動駆動機構（図示略）により上下揺動可能に構成され、常には、可動刃３５が固定刃３２から離間した状態で保持されている。
　【００１４】
　そして、サーマルヘッド１５により印刷された印刷テープ１９は、テープカセットＣＳから固定刃３２と可動刃３５との間を通って本体フレーム２外に延びているので、切断信号により駆動された切断用モータ４６により、揺動駆動機構を介して操作レバー３４の後端部が上下揺動され、可動刃３５が固定刃３２に接近して、これら両刃３２・３５で印刷テープ１９が切断される。
　【００１５】
　ところで、前記テープカセットＣＳから繰出される印刷テープ１９として、テープ幅を６ｍｍ、９ｍｍ、１２ｍｍ、１８ｍｍ、２４ｍｍとする５種類が準備されており、これらテープカセットＣＳの底壁部には、これら５種類のテープ幅の何れかを検知する為に、４つの突出爪の有無を組合せた突出片２０が設けられている。そして、このテープカセットＣＳの下側を支持する本体フレーム２には、この突出片２０の突出爪の組合せからテープ幅を検知するカセットセンサ４２（図４参照）が取付けられている。即ち、このカセットセンサ４２は、突出片２０を構成する突出爪の組合せにより、例えば、図５のテーブルに示すように、１と０を組合わせた４桁のカセット信号を出力し、テープカセットＣＳが装着されていないときには、「００００」のカセット信号を出力する。
　【００１６】
　次に、テープ印刷装置１の制御系について図４を参照しつつ説明する。制御装置Ｃの入出カインターフェース５０には、キーボード３と、カセットセンサ４２と、液晶ディスプレイ（ＬＣＤ）２２に表示データを出力する為のビデオＲＡＭ２４を有するディスプレイコントローラ（ＬＣＤＣ）２３と、警告用ブザー４３の為の駆動回路４４と、サーマルヘッド１５を駆動する為の駆動回路４７と、テープ送りモータ４５を駆動する為の駆動回路４８と、切断用モータ４６を駆動する為の駆動回路４９とが夫々接続されている。
　【００１７】
　制御装置Ｃは、ＣＰＵ５２、このＣＰＵ５２にデータバスなどのバス５１を介して接続された入出カインターフェース５０、ＣＧＲＯＭ５３（キャラクタジェネレータＲＯＭ）、ＲＯＭ５５、ＲＡＭ６０等で構成されている。ＣＧＲＯＭ５３には、アルファベット文字、数字、記号などの多数のキャラクタの各々に関して、キャラクタフォントデータとして、表示用兼印刷用のドットパターンデータが、各書体（ゴシック系書体、明朝系書体など）毎に９種類（７、１０、１６、２１、２４、３２、４８、６４、９６ドット）のサイズ分、コードデータに対応させて格納されている（図６参照）。
　【００１８】
　ＲＯＭ５５には、キーボード３から入力されたキャラクタをディスプレイ２２に表示し、その後テープに印刷するテープ印刷制御の制御プログラム、印刷データバッファ６６のデータを順次読出してサーマルヘッド１５やテープ送りモータ４５を駆動する印刷駆動制御プログラム、および、図５、図７〜図９に示すテーブルＴＢ１，ＴＢ３〜ＴＢ５が、予め格納されている。前記ＲＯＭ５５には、テーブルＴＢ２に示す９種類の文字サイズと各文字サイズに関する一群の文字や記号のドットパターンデータが格納されているＣＧＲＯＭ５３の先頭アドレス（インデックスアドレス）とを対応させたサーチテーブルと、このインデックスアドレスと各文字や記号のＣＧＲＯＭ５３における格納先頭アドレスとを対応させたインデックステーブルとが格納されている。
　【００１９】
　ＲＡＭ６０に関して、テキストメモリ６１には、キーボード３から入力された文書データが格納される。パラメータメモリ６２には、テキストメモリ６１の先頭アドレスを指示する先頭アドレスポインタのポインタ値ＳＰと、その末尾アドレスを指示する末尾アドレスポインタのポインタ値ＥＰと、データカウント値ＤＣ等のデータが格納される。配置位置情報メモリ６３には、表示する各文字や記号の表示データバッファ６４における表示位置情報が格納される。
　【００２０】
　表示データバッファ６４には、入力された複数の文字や記号の表示用ドットパターンデータを合成した表示用ドットイメージデータ格納され、印刷データバッファ６５には、印刷に供する複数の文字や記号の印刷用ドットパターンデータを合成した印刷用ドットイメージデータが格納される。テープ幅メモリ６６には、カセットセンサ４２からのカセット信号に基いて、テーブルＴＢ１から決定されたテープカセットＣＳのテープ幅データが格納される。表示倍率メモリ６７には、表示倍率Ｒのデータとして、初期化時にはＲ＝１が格納され、その後表示サイズ設定キーを介して表示倍率が変更される毎に変更された表示倍率Ｒのデータが格納される。ＲＡＭ６０には、その他にワークメモリ６８も設けられている。
　【００２１】
　次に、テーブルＴＢ１〜ＴＢ５について説明する。図５に示すテーブルＴＢ１は、カセットセンサ４２の検出信号と、テープ印刷装置１に装着されているテープカセットＣＳのテープ幅との関係を設定したものである。図６に示すテーブルＴＢ２は、ＣＧＲＯＭ５３に格納されているキャラクタフォントの文字サイズと、表示用フォントの範囲と、印刷用フォントの範囲とを示すものである。図７に示すテーブルＴＢ３は、テープ幅と、テープの印刷可能幅のドット数と、文字や記号の印刷行数と、印刷文字サイズ（ポイント値：ドット数）との対応関係を予め設定したものであり、テープ幅と印刷行数とが決まると、このテーブルから印刷文字サイズが決定される。
　【００２２】
　図８に示すテーブルＴＢ４は、印刷文字サイズ（ポイント値）と、３種類の表示倍率（基本倍率、２倍、３倍）における表示文字サイズとの対応関係を予め設定したものであり、例えば、テーブルＴＢ３によりテープ幅と印刷行数とから印刷文字サイズが決まり、このテーブルＴＢ４と表示倍率Ｒに基いて、印刷文字サイズから表示文字サイズが決定される。図９に示すテーブルＴＢ５は、テープ幅と、表示倍率Ｒと、ディスプレイ２２の上端カット領域とイメージ表示領域（有効表示領域）と下端カット領域の領域幅との対関係を予め設定したものである。
　【００２３】
　このテーブルＴＢ５の備考欄に示すように、前記ディスプレイ２２において、イメージ表示領域は、文字や記号を表示する有効表示領域であり、このイメージ表示領域の幅はテープ幅に応じて変更される。上端カット領域と下端カット領域とは、斜線によりシャドウ表示することにより、イメージ表示領域として活用しない領域のことである。前記イメージ表示領域の幅を、テープ幅の増大に応じて大きくし、表示文字サイズをテープ幅の増大に応じて大きくするので、イメージ表示領域の幅内に、文字や記号を印刷状態と略相似の態様に表示可能になる。
　【００２４】
　次に、テープ印刷装置１の制御装置Ｃで行なわれるテープ印刷制御のメインルーチンについて、図１０〜図１３のフローチャートを参照しつつ説明する。尚、図中符号Ｓｉ（ｉ＝１，２，３・・・・）は各ステップを示す。キーボード３上の電源キーにより電源が投入されるとこの制御が開始され、先ずＲＡＭ６０の各メモリ６１〜６８をクリアするとともに、印刷機構ＰＭを初期化する初期設定処理が実行される（Ｓ１）。次に、カセットセンサ４２からのカセット信号が読み込まれ、そのカセット信号とテーブルＴＢ１とに基いてテープ幅が決定され、このテープ幅のデータがテープ幅メモリ６６に格納され、テープ幅とテーブルＴＢ５に基いてイメージ表示領域の幅が演算される（Ｓ２）。
　【００２５】
　次に、テキストメモリ６１の先頭の２バイトに、標準の書式情報のデータ（印刷行数、印刷文字サイズ、書体、等のデータ）が格納される（Ｓ２）。例えば、印刷行数に１が設定され、印刷文字サイズＳＺに、テープ幅と印刷行数「１」に基いてテーブルＴＢ３から演算された印刷文字サイズが設定され、書体としては明朝体が設定される。次に、ディスプレイ２２に、文書入力画面として、Ｓ２で演算されたテープ幅に応じたイメージ表示領域とする文書入力画面と、前記印刷文字サイズとテーブルＴＢ４とに基いて、基本倍率として決定された表示文字サイズの大きさを有するカーソルＫ（図２０参照）が表示される（Ｓ４）。この文書入力画面では、テーブルＴＢ５からテープ幅に対応する、基本倍率における上端カット領域幅、イメージ表示領域幅下端カット領域幅のデータが読み込まれ、そのデータに基いて、上端カット領域と下端カット領域とが斜線でシャドウ表示される。尚、この場合、この表示用ドットイメージデータが表示データバッファ６４に展開され、そのデータが表示される。
　【００２６】
　次に、テキストメモリ６１に格納された文字や記号を印刷イメージでディスプレイ２２に表示する印刷イメージ表示処理が実行される（Ｓ５）が、この印刷イメージ表示処理については説明の都合上、後述することにする。次に、キー入力有りか否か判定され（Ｓ６）、キー入力がないときはＳ６が繰り返され、キー入力があると（Ｓ６：Ｙｅｓ）Ｓ７へ移行する。ディスプレイ２２に表示する表示倍率を変更する為に、表示サイズ設定キーが操作されると（Ｓ７：Ｙｅｓ）、表示サイズ設定処理が実行される（Ｓ８）。この表示サイズ設定処理について、図１３により説明する。テープ幅のデータはテープ幅メモリ６６に記憶され、現在の表示倍率Ｒのデータは表示倍率メモリ６７に記憶されているので、これらのデータに基いて、Ｓ６０、Ｓ６２、Ｓ６４、Ｓ６６の判定が実行される。
　【００２７】
　最初に、テープ幅が６ｍｍのときには（Ｓ６０：Ｙｅｓ）、表示倍率Ｒが１だけインクリメントされ（Ｓ６１）、次に表示倍率Ｒが４のときには（Ｓ６２：Ｙｅｓ）、表示倍率Ｒが１に設定される（Ｓ６３）。つまり、テープ幅が６ｍｍの場合には、基本倍率の時の表示文字サイズが小さいために、拡大表示の余地が大きいので、表示倍率Ｒが基本倍率を示す「１」→「２」→「３」→「１」のように切換えられ、その表示倍率Ｒのデータが表示倍率メモリ６７に格納される（Ｓ６９）。一方、テープ幅が９ｍｍのときには（Ｓ６０：Ｎｏ、Ｓ６４：Ｙｅｓ）、表示倍率Ｒが１だけインクリメントされ（Ｓ６５）、次に表示倍率Ｒが３のときには（Ｓ６６：Ｙｅｓ）、表示倍率Ｒが１に設定される（Ｓ６７）。
　【００２８】
　つまり、テープ幅が９ｍｍの場合には、拡大表示の余地があまり大きくないので、表示倍率Ｒが基本倍率を示す「１」→「２」→「１」のように切換えられ、その表示倍率Ｒのデータが表示倍率メモリ６７に格納される（Ｓ６９）。テープ幅が１２ｍｍ以上のときには（Ｓ６０：Ｎｏ、Ｓ６４：Ｎｏ）、拡大表示の余地がないので、表示倍率Ｒが１（基本倍率）に固定され、その表示倍率Ｒのデータが表示倍率メモリ６７に格納され（Ｓ６９）、次に、表示倍率の変更に応じて、上端カット領域と下端カット領域の表示用ドットイメージデータが変更され、表示データバッファ６４に展開される（Ｓ７０）。この表示サイズ設定処理の後、Ｓ５ヘリターンする。
　【００２９】
　メインルーチンにおいて、書式設定キーが操作されたときには（Ｓ９：Ｙｅｓ）、書式情報設定処理制御が実行され（Ｓ１０）、その後Ｓ５に移行する。この書式情報設定処理制御においては、印刷行数、印刷文字サイズ、書体名などの書式設定内容を一括して設定可能な書式設定画面がディスプレイ２２に表示されるので、カーソル移動キーを操作して、設定項目「印刷文字サイズ名」や「書体名」にカーソルを移動し、所望の設定内容に対応する数字キーを入力した後実行キーを操作すると、書式情報がテキストメモリ６１に変更書式情報として格納される。これらの変更された設定情報を含む変更書式情報が、テキストメモリ６１に、標準書式情報に続けて２バイトで格納され、次にＳ５へ移行する（図１４参照）。
　【００３０】
　次に、アルファベット文字、数字、記号等のキーである印刷可能キーが操作されたときには（Ｓ１１：Ｙｅｓ）、操作された印刷可能キーのコードデータを文書データとしてテキストメモリ６１に格納する文書データ格納処理が実行され（Ｓ１２）、その後Ｓ５へ移行し、印刷イメージ表示処理が実行される（Ｓ５）。次に、この印刷イメージ表示処理について、図１１、図１２を参照しつつ説明する。このとき、テキストメモリ６１には、図１４に示すように、標準書式情報、第１変更書式情報、文字「ＡＢＣＤ」、第２変更書式情報、・・・が順次格納されているものとする。
　【００３１】
　この制御が開始されると、先ずテキストメモリ６１内のデータが先頭アドレスから順次検索され、書式情報や文字コードや改行コードに基いて、表示する文字や記号の各々に関して、表示用ドットパターンデータを表示データバッファ６４に展開する為の配置位置情報が求められ、その配置位置情報が配置位置情報メモリ６３に格納される（Ｓ３０）。尚、配置位置情報は、例えば、書式情報や文字コードや改行コードと印刷用ドットパターンデータとから印刷時の文字配置位置を求め、その座標値を１／３倍して表示用の配置位置とする等して求められる。
　【００３２】
　次に、パラメータメモリ６２における印刷処理に関するパラメータ情報を初期化する初期化処理が実行される（Ｓ３１）。即ち、パラメータメモリ６２において、先頭アドレスポインタ値ＳＰにはテキストメモリ６１の先頭アドレスがセット（図１５参照）され、末尾アドレスポインタ値ＥＰにはテキストメモリ６１の現在の末尾アドレスの次のアドレス（末尾アドレス＋２）がセット（図１４参照）され、データカウント値ＤＣとして初期値「０」がセットされる。
　【００３３】
　次に、書式情報のデータや文字コードは夫々２バイト構成なので、先頭アドレスに、データカウント値ＤＣを２倍したアドレス分を加算した検索アドレスのデータが読込まれ（Ｓ３２）、そのデータが書式情報のデータのときには（Ｓ３３：Ｙｅｓ）、その書式情報のデータがワークメモリ６８に格納され（Ｓ３４）、その後Ｓ３７に移行する。また、前記検索アドレスから読み込んだデータが印刷可能な文字や記号やスペースのデータのときには（Ｓ３３：Ｎｏ、Ｓ３５：Ｙｅｓ）、表示用イメージ発生処理が実行され（Ｓ３６）、次にＳ３７に移行する。
　【００３４】
　次に、データカウント値ＤＣが１つインクリメントされ（Ｓ３７）、次に、先頭アドレスポインタ値（先頭アドレス）ＳＰに、データカウント値ＤＣを２倍したアドレス分を加算した検索アドレスと末尾アドレスポインタ値ＥＰで指示するアドレスとが合致せず、テキストメモリ６１に表示に供する文字が存在するときには（Ｓ３８：Ｎｏ）、Ｓ３２〜Ｓ３８が繰り返して実行される。
　【００３５】
　次に、Ｓ３６で実行される表示用イメージデータ発生処理について、図１２を参照しつつ説明する。この制御が開始されると、前記Ｓ３４においてワークメモリ６８に格納した書式情報のうちの印刷文字サイズＳＺと、表示倍率メモリ６６の表示倍率ＲとをテーブルＴＢ４に適用して表示文字サイズが演算され（Ｓ５０）、この表示文字サイズとサーチテーブルとに基いて、その文字サイズの一群の文字や記号のドットパターンデータが格納されているＣＧＲＯＭ５３のインデックスアドレスが読込まれ（Ｓ５１）、更にそのインデックスアドレスとインデックステーブルと文字コードとに基いて、その文字コードのＣＧＲＯＭ５３における格納先頭アドレスつまりフォント記憶アドレスが読込まれ（Ｓ５２）、そのフォント記憶アドレスに格納されているドットパターンデータがＣＧＲＯＭ５３から読出されてワークメモリ６８に一旦格納される（Ｓ５３）。
　【００３６】
　次に、ワークメモリ６８に格納されているドットパターンデータが、配置位置情報メモリ６３に格納されているその文字の配置位置データで指示される表示データバッファ６４の格納位置に格納されると（Ｓ５４）、この制御を終了して、印刷イメージ表示処理制御のＳ３７にリターンする。
　【００３７】
　次に、印刷イメージ表示処理において、Ｓ３７を実行後、先頭アドレスに、データカウント値ＤＣを２倍したアドレス分を加算した検索アドレスと末尾アドレスポインタ値ＥＰで指示するアドレスとが合致したときには（Ｓ３８：Ｙｅｓ）、表示データバッファ６４に展開して格納された表示用ドットイメージデータがビデオＲＡＭ２４に出力されてディスプレイ２２に表示され（Ｓ３９）、この制御を終了して、メインルーチンのＳ６にリターンする。
　【００３８】
　次に、メインルーチンにおいて、印刷キーが操作されたときには（Ｓ１３：Ｙｅｓ）、テープヘの印刷処理が実行され（Ｓ１４）、Ｓ５に戻る。この印刷処理は通常の印刷処理と同様なので簡単に説明すると、テキストメモリ６１から書式情報や文字コードが順次読出され、サーチテーブルとインデックステーブルとに基いて、その文字コードのＣＧＲＯＭ５３におけるドットパターンデータが読出されて印刷データバッファ６５に展開して合成格納され、この印刷データバッファ６５の印刷用ドットイメージデータが印刷機構ＰＭに出力され、印刷テープ１９に印刷される。一方、表示サイズ設定キー、書式設定キー、印刷可能キー及び印刷キー以外のキーが操作されたときには（Ｓ１３：Ｎｏ）、その操作されたキーに対応する処理が実行され（Ｓ１５）、Ｓ５に戻る。
　【００３９】
　ここで、前記テキストメモリ６１に図１４に示す文書データのうち「ＡＢＣＤ」のデータが入力された状態におけるディスプレイ２２への表示例は、基本表示倍率の場合、図１５〜図１９に示す通りである。尚、図１５〜図１９は、夫々、テープ幅が、２４ｍｍ、１８ｍｍ、１２ｍｍ、９ｍｍ、６ｍｍの場合である。但し、「ＡＢＣＤ」、「ＥＦＧ」、「ＨＩＪＫ」の全部のデータが入力された状態では、図２０に示すように、「ＥＦＧ」と「ＨＩＪＫ」とは２行に表示される。尚、カーソルＫも図示してある。
　【００４０】
　以上説明したテープ印刷制御に含まれる表示制御の作用について説明する。この制御においては、基本的に、印刷文字サイズは、テープ幅に略比例するように設定され、表示文字サイズは、印刷文字サイズに略比例するように設定される。このように、テープ幅に略比例する表示文字サイズに設定するため、キャラクタの印刷状態をテープ幅との関連において把握しやすくなり、操作性が向上する。
　【００４１】
　しかも、ディスプレイ２２の上端部と下端部とに夫々上端カット領域と下端カット領域とをシャドウ表示して、ディスプレイ２２の幅方向中央部に、テープ幅に略比例する幅のイメージ表示領域を設定して、そのイメージ表示領域に文字や記号のキャラクタを印刷状態と同様のイメージで表示するように構成したので、テープに印刷されるキャラクタの印刷状態をテープ幅との関連において一層正確に把握できるから、文書データの入力時の操作性を高め、印刷文字サイズの設定ミス等を防止することが出来る。
　【００４２】
　そして、表示サイズ設定キーを介して、表示倍率、つまり表示文字サイズを拡大して設定できるように構成したので、必要に応じてキャラクタをディスプレイ２２に適宜拡大表示できるから、テープ幅が小さい場合、複数行に入力した場合等において拡大表示可能となり、操作性が向上する。
　【００４３】
　ここで、特許請求の範囲に記載した各手段と、上記実施例中の構成との対応関係について説明すると、データ記憶手段に相当するものはＲＡＭ６０のテキストメモリ６１であり、フォント記憶手段に相当するものはＣＧＲＯＭ５３であり、表示データバッファに相当するものはＲＡＭ６０の表示データバッファ６４であり、テープ幅検知手段に相当するものはカセットセンサ４２とテープカセットＣＳに付設された突出片２０とテーブルＴＢ１であり、表示データ作成手段に相当するものは、制御装置Ｃ（特に、テーブルＴＢ３、ＴＢ４と、図１１と図１２のフローチャート等）である。また、サイズ拡大設定手段に相当するものは、表示サイズ設定キー、制御装置Ｃ（特に、ＲＡＭ６０の表示倍率メモリ６７、図１３のフローチャート等）である。
　【００４４】
　尚、前記カセットセンサ４２の代わりに、テープ搬送路の途中において光学センサ等で直接的にテープ幅を検知する検知手段を適用することもできるし、或いは、前記ディスプレイ２２の上端カット領域や下端カット領域をシャドウ表示する代わりに、これらの領域とイメージ表示領域とを適宜の境界線で区分するように構成してもよいし、前記ＣＧＲＯＭ５３の代わりに、表示用ＣＧＲＯＭとこれと独立の印刷用ＣＧＲＯＭを設けてもよいし、前記テープとしては２４ｍｍ以上のテープを適用するとともにサーマルヘッドを大型化することもあるし、また、前記ディスプレイ２２を最大テープ幅以上の幅のものに構成してキャラクタの印刷イメージと１対１で対応するイメージを表示するように構成したり、する等、本発明の技術的思想の範囲内において、既存の技術や当業者に自明の技術に基いて種々の変更を加えることもあり得る。
　【００４５】
　【発明の効果】
　請求項１のテープ印刷装置によれば、前記前提構成を備えたテープ印刷装置に、テープ幅検知手段と、表示データ作成手段とを設け、テープ幅に対応する表示サイズの表示用ドットパターンデータを読出し、
前記ディスプレイにおいて非イメージ表示領域と区別されテープ幅に応じてその幅が変更されるイメージ表示領域内に、
　【００４６】
　請求項２のテープ印刷装置によれば、サイズ拡大設定手段を設け、キャラクタの表示文字サイズを拡大可能に構成したので、テープ幅が小さく表示文字サイズが小さくなる場合等において必要に応じて拡大表示できるから、操作性を一層向上させることができる。請求項３のテープ印刷装置によれば、テープ幅検知手段で検知されるテープ幅が変更されたときに、表示データ作成手段が、自動的に表示用ドットイメージデータを更新するため、テープを交換した場合にも、請求項１の効果が得られる。
【図面の簡単な説明】
　【図１】
　請求項１の構成を示す機能ブロック図である。
　【図２】
　テープ印刷装置の斜視図である。
　【図３】
　テープカセットを装着した印刷機構の概略平面図である。
　【図４】
　テープ印刷装置の制御系のブロック図である。
　【図５】
　カセット信号とテープ幅との対応関係を示すテーブルの図表である。
　【図６】
　ＣＧＲＯＭに格納されたキャラクタフォントの文字サイズを示すテーブルの図表である。
　【図７】
　テープ幅と印刷行数と印刷文字サイズの関係を設定したテーブルの図表である。
　【図８】
　印刷文字サイズと表示文字サイズ等の関係を設定したテーブルの図表である。
　【図９】
　テープ幅と領域幅との関係を設定したテーブルの図表である。
　【図１０】
　テープ印刷制御のメインルーチンのフローチャートである。
　【図１１】
　図１０のフローチャートの印刷イメージ表示処理のフローチャートである。
　【図１２】
　図１１のフローチャートの表示イメージ発生処理のフローチャートである。
　【図１３】
　図１０の表示サイズ設定処理のフローチャートである。
　【図１４】
　複数の書式情報や文字列コードが格納されたテキストメモリの説明図である。
　【図１５】
　テープ幅２４ｍｍのときのディスプレイヘの表示例を示す説明図である。
　【図１６】
　テープ幅１８ｍｍのときのディスプレイヘの表示例を示す説明図である。
　【図１７】
　テープ幅１２ｍｍのときのディスプレイヘの表示例を示す説明図である。
　【図１８】
　テープ幅９ｍｍのときのディスプレイヘの表示例を示す説明図である。
　【図１９】
　テープ幅６ｍｍのときのデイスプレイヘの表示例を示す説明図である。
　【図２０】
　テープ幅９ｍｍのときのディスプレイヘの表示例を示す説明図である。
　【符号の説明】
　１　テープ印刷装置
　３　キーボード
１３　サーマルヘッド
１９　印刷テープ
２２　液晶ディスプレイ
５２　ＣＰＵ
５３　ＣＧＲＯＭ
５５　ＲＯＭ
６０　ＲＡＭ
６１　テキストメモリ
６４　表示データバッファ
　Ｃ　制御装置
ＰＭ　印刷機構